(57)【要約】【課題】回転輪の接近位置での位置保持及びその解除を容易に行えて、合流部での刈取穀稈の詰まり解除を、作業性良く楽に行うことができる詰まり解除装置を提供する。【解決手段】株元合流搬送チェン３３Ｌの搬送終端部を巻回支持する回転体（スプロケット８７および回転輪８８）を、株元合流搬送チェン３３Ｒに対する遠近方向で移動自在とする移動自在機構１０１を備えると共に、該移動自在機構１０１に連結して回転体を移動させるリンク機構１０２を備え、該リンク機構１０２には回転体の位置を固定する固定手段１０３を備え、移動自在機構１０１には、回転体を回動自在に支持するブラケット８９と、該ブラケット８９を前記遠近方向で移動自在に支持する搬送フレーム９０とを備え、ブラケット８９に、搬送される穀稈の搬送をガイドする搬送ガイド１１４を設けた。【選択図】  図１１
2004275014.tif 000002
【特許請求の範囲】
【請求項１】
コンバインの刈取部に、左右の刈取穀稈株元部のそれぞれを挟持搬送して合流させる左右一対の株元搬送手段を備え、該一対の株元搬送手段の少なくとも一方を搬送チェンとした構成において、
一方の株元合流搬送チェンの搬送終端部を巻回支持する回転体を、他方の株元搬送手段に対する遠近方向で移動自在とする移動自在機構を備えると共に、該移動自在機構に連結して前記回転体を移動させるリンク機構を備え、該リンク機構には前記回転体の位置を固定する固定手段を備えた、
ことを特徴とする刈取部の詰まり解除装置。
【請求項２】
前記移動自在機構に、前記回転体を回動自在に支持するブラケットと、該ブラケットを前記遠近方向で移動自在に支持する刈取部フレームとを備えると共に、
前記リンク機構はブラケットと刈取部フレームとを連結する構成とし、
該リンク機構を可倒自在に操作する操作レバーを設けた、
ことを特徴とする請求項１に記載の刈取部の詰まり解除装置。
【請求項３】
コンバインの刈取部に、左右の刈取穀稈株元部のそれぞれを挟持搬送して合流させる左右一対の株元搬送手段を備え、該一対の株元搬送手段の少なくとも一方を搬送チェンとした構成において、
一方の株元合流搬送チェンの搬送終端部を巻回支持する回転体を、他方の株元搬送手段に対する遠近方向で移動自在とする移動自在機構と、移動自在機構の固定手段とを備えると共に、
前記回転体と一体で前記遠近方向に移動自在とされるブラケットに、搬送される穀稈の搬送をガイドする搬送ガイドを設けた、
ことを特徴とする刈取部の詰まり解除装置。
【発明の詳細な説明】
【０００１】
【発明の属する技術分野】
本発明は、コンバインの刈取部の下部搬送装置において、左右の条の刈取穀稈の株元部が合流する部分の穀稈の詰まりを解除する、詰まり解除装置に関する。
【０００２】
【従来の技術】
従来より、刈刃により刈り取った穀稈の株元部を下部搬送装置により挟持搬送して後方へ搬送し、後部において左右の条の刈取穀稈を合流させて縦搬送装置へ受け継ぐように構成している。この合流部においては、詰まり解除を行うための機構は、次のように構成されている。
まず、左右一方の株元搬送チェンの搬送終端部を巻回支持する回転輪を、左右他方の株元搬送チェンに対する遠近方向に位置変位可能に設けている。
また、前記回転輪を接近位置に位置保持する位置保持機構を設けている。
以上構成において、合流部での刈取穀稈の詰まりが発生した場合、回転輪の接近位置での位置保持を解除して離隔位置に後退させることで、合流部における株元合流搬送チェンの間隔を拡大するものとしている。そして、合流部からの刈取穀稈の引抜き、即ち合流部での刈取穀稈の詰まり解除を行うようにしている。
例えば、特開平１１−１２７６６３号公報に開示される技術である。
【０００３】
【特許文献１】
特開平１１−１２７６６３号公報
【０００４】
【発明が解決しようとする課題】
ところが、前記位置保持機構として、特許文献１に記載されているような操作レバー付きのカムによるものを用いると、ボルトとナットを用いるものに比べ詰まり解除後に回転輪を元の接近位置に容易に位置保持できるという利点はあるが、次のような不具合がある。
カムを回転操作して、回転輪の接近位置での位置保持を解除するためには、合流部における刈取穀稈の詰まり反力に抗して、回転輪を一旦接近位置からさらに前進させる必要がある。
ここで、詰まり反力とは、合流部における株元合流搬送チェンの間に固く詰まっている刈取穀稈により、合流部における株元合流搬送チェンにこれらの間隔を拡大する方向に働く力、即ち回転輪にこれを後退させる方向に働く力のことである。また、回転輪を一旦接近位置からさらに前進させる、とは、合流部における株元合流搬送チェンの間隔を縮小させる、ことを意味する。
したがって、カムの回転に多大な操作力が必要となり、カムを手で回転させることなど行い得ず、実際にはハンマーなどで操作レバーを叩きカムを回転させることで、回転輪の接近位置での位置保持を解除するものとなっている。
このように、以上構成の位置保持機構では、合流部での刈取穀稈の詰まり解除に大変な労力を必要とする問題が発生する。
そこで、本発明は、回転輪の接近位置での位置保持及びその解除を容易に行えて、合流部での刈取穀稈の詰まり解除を、作業性良く楽に行うことができる詰まり解除装置を提供する。
【０００５】
【課題を解決するための手段】
本発明の解決しようとする課題は以上の如くであり、次に該課題を解決するための手段を説明する。
即ち、請求項１においては、コンバインの刈取部に、左右の刈取穀稈株元部のそれぞれを挟持搬送して合流させる左右一対の株元搬送手段を備え、該一対の株元搬送手段の少なくとも一方を搬送チェンとした構成において、
一方の株元合流搬送チェンの搬送終端部を巻回支持する回転体を、他方の株元搬送手段に対する遠近方向で移動自在とする移動自在機構を備えると共に、該移動自在機構に連結して前記回転体を移動させるリンク機構を備え、該リンク機構には前記回転体の位置を固定する固定手段を備えたものである。
【０００６】
請求項２においては、前記移動自在機構に、前記回転体を回動自在に支持するブラケットと、該ブラケットを前記遠近方向で移動自在に支持する刈取部フレームとを備えると共に、
前記リンク機構はブラケットと刈取部フレームとを連結する構成とし、
該リンク機構を可倒自在に操作する操作レバーを設けたものである。
【０００７】
請求項３においては、コンバインの刈取部に、左右の刈取穀稈株元部のそれぞれを挟持搬送して合流させる左右一対の株元搬送手段を備え、該一対の株元搬送手段の少なくとも一方を搬送チェンとした構成において、
一方の株元合流搬送チェンの搬送終端部を巻回支持する回転体を、他方の株元搬送手段に対する遠近方向で移動自在とする移動自在機構と、移動自在機構の固定手段とを備えると共に、
前記回転体と一体で前記遠近方向に移動自在とされるブラケットに、搬送される穀稈の搬送をガイドする搬送ガイドを設けたものである。
【０００８】
【発明の実施の形態】
本発明の実施の形態を図面に基づいて詳述する。
図１はコンバインの全体側面図であり、図２はコンバインの全体平面図であり、図３は刈取部７の側面図であり、図４は刈取部７の平面図であり、図５は株元合流搬送チェン３３Ｒ・３３Ｌの平面図であり、図６は刈取部７の駆動系統図であり、図７は中央搬送駆動部の側面図であり、図８は中央搬送駆動部の平面図であり、図９は詰まり解除装置１００の平面図であり、図１０は詰まり解除装置１００の側面図であり、図１１は解除時における詰まり解除装置１００の平面図である。
【０００９】
図１、図２を用いて、刈取部の詰まり解除装置が適用されるコンバインの全体構成を説明する。
図中１は左右走行クローラ２を装設するトラックフレーム、３はトラックフレーム１上に架設する機台、４はフィードチェン５を左側に張架し扱胴６を内蔵する脱穀部である。
また、７は前記脱穀部４の前方に備える６条刈りの刈取部、８は排藁チェン９の終端を臨ませる排藁処理部、１０は脱穀部４からの穀粒を揚穀筒１１を介して搬入する穀物タンク、１２は穀物タンク１０の穀粒を機外に排出する排出オーガである。
さらに、１３は操向ハンドルなど運転操作部１４及び運転席１５を備える運転キャビン、１６は運転キャビン１３下方に設けるエンジンである。
そして、以上構成のコンバインは、圃場を走行移動しながら穀稈を刈取部７で連続的に刈取り、脱穀部４で脱穀するものである。
【００１０】
図３、図４を用いて、刈取部７の支持構成について説明する。
機台３の前端から脱穀部４の前面側に左右刈取装着フレーム１７を立上げ、各刈取装着フレーム１７の上部に割パイプ継手１８を設ける一方、エンジン１６からの動力を伝達する刈取入力軸１９を内挿する刈取入力ケース２０を刈取部７に設けている。
刈取入力ケース２０の両端部は、割パイプ継手１８を介して左右刈取装着フレーム１７の上部に回転自在に、かつ着脱自在に保持し、前記刈取入力ケース２０を脱穀部４の直前にて機体左右方向に水平に横架支持させている。
また、刈取入力ケース２０の中間部から前斜下方に向けて、縦伝動ケース２１を一体的に延設している。縦伝動ケース２１の先端には横伝動ケース２２の中間部を一体連結しており、横伝動ケース２２が、縦伝動ケース２１の先端より機体左右方向に水平に横架支持されるものとなっている。また、横伝動ケース２２より前方へ向けて、６条分７本一体の刈取フレーム２４が平行に突設されている。７本の刈取フレーム２４は、後部を横連結フレーム２３によって一体連結されると共に、左右両端の刈取フレーム２４・２４が、横伝動ケース２２に固設されるものとなっている。
そして、刈取入力軸２０、縦伝動ケース２１、横伝動ケース２２、７本一体の刈取フレーム２４を、刈取部７のメインフレームとし、このメインフレームに、後述する刈取部７の構成要素を組付けて刈取部７を構成するものである。
また、機台３と縦伝動ケース２１との間に油圧シリンダ２５を張架し、油圧シリンダ２５を伸縮させることで、刈取部７を刈取入力ケース２０を中心に昇降させるように構成している。
【００１１】
刈取部７に設ける各機構について説明する。
６条刈りの刈取部７は、以下に述べる各機構を備えるものとなっている。前処理機構、掻込機構、刈取機構、穀稈搬送機構であり、穀稈搬送機構は穀稈株元搬送機構と穀稈穂先機構とからなっている。以下、順に説明する。
【００１２】
前処理機構は、刈取る穀稈と未刈穀稈との分離及び刈取る穀稈の１条ごとの分離を行う６条分７つの分草板２７と、分草後の未刈穀稈を起立させる引起タイン２８を有する６条分６つの引起ケース２９とからなる。
【００１３】
掻込機構は、２条毎に対応した左右及び中央の各掻込機構を合わせて構成されるものである。
右側の掻込機構は、右側２つの引起ケース２９の間から導入される引起後の右側２条分の穀稈Ｒの株元部を、１束に掻寄せて掻込む左右一対で一組の右掻込輪である右スターホイル３０Ｒと、左右一対で一組の右突起付ベルトである右掻込ベルト３１Ｒと、を備えている。
左側の掻込機構は、左側２つの引起ケース２９の間から導入される引起後の左側２条分の穀稈Ｌの株元部を、１束に掻寄せて掻込む左右一対で一組の左掻込輪である左スターホイル３０Ｌと、左右一対で一組の左突起付ベルトである左掻込ベルト３１Ｌと、を備えている。
中央の掻込機構は、中央２つの引起ケース２９の間から導入される引起後の中央２条分の穀稈Ｃの株元部を、１束に掻寄せて掻込む左右一対で一組の中央掻込輪である中央スターホイル３０Ｃと、左右一対で一組の中央突起付ベルトである中央掻込ベルト３１Ｃと、を備えている。
【００１４】
刈取機構は、掻込時に穀稈の株元を６条同時に切断するバリカン形の刈刃３２・３２・・・からなっている。
【００１５】
穀稈株元搬送機構は、次の各搬送手段により構成されている。右株元合流搬送チェン３３Ｒ、左株元合流搬送チェン３３Ｌ、中央株元合流搬送チェン３３Ｃ、株元搬送チェン３４、補助株元搬送チェン３５・３６である。以下、各搬送手段を順に説明する。
右株元合流搬送チェン３３Ｒは、一組の右スターホイル３０Ｒと右掻込ベルト３１Ｒとによって掻込まれた右側２条分の刈取穀稈Ｒの株元部を、左斜後上方に挟持搬送する搬送手段である。
左株元合流搬送チェン３３Ｌは、一組の左スターホイル３０Ｌと左掻込ベルト３１Ｌとによって掻込まれた左側２条分の刈取穀稈Ｌの株元部を、右斜後上方に挟持搬送して、前記右株元合流搬送チェン３３Ｒの搬送終端部に合流させる搬送手段である。
中央株元合流搬送チェン３３Ｃは、一組の右スターホイル３０Ｒ及び右掻込ベルト３１Ｒと、一組の左スターホイル３０Ｌ及び左掻込ベルト３１Ｌとの間に配設される一組の中央スターホイル３０Ｃと、前記中央掻込ベルト３１Ｃと、によって掻込まれた中央２条分の刈取穀稈Ｃの株元部を、搬送する。そして、該株元部を、左右の株元合流搬送チェン３３Ｌ・３３Ｒの間に位置させて、右斜後上方へ向けて挟持搬送し、右株元合流搬送チェン３３Ｒの左側２条分の刈取穀稈Ｌの株元部との合流部の手前で、合流させる。
株元搬送チェン３４は縦搬送チェンであり、まず、左右及び中央の株元合流搬送チェン３３Ｒ・３３Ｌ・３３Ｃによって合流された６条分の刈取穀稈Ｌ・Ｒ・Ｃの株元部を、右株元合流搬送チェン３３Ｒの搬送終端部から受継ぐ。その後、これらの刈取穀稈Ｌ・Ｒ・Ｃの株元部を、左斜後上方に挟持搬送して、脱穀部４のフィードチェン５の搬送始端部に受継搬送する。
補助株元搬送チェン３５・３６は、株元搬送チェン３４の搬送終端部からフィードチェン５の搬送始端部に、６条分の刈取穀稈Ｌ・Ｒ・Ｃの株元部を、適正姿勢で搬送受継ぎする搬送手段である。
【００１６】
穀稈穂先搬送機構は、次の各搬送手段により構成されている。右穂先搬送タイン３７Ｒ、左穂先搬送タイン３７Ｌ、中央穂先部搬送タイン３７Ｃ、後穂先搬送タイン３８、右上部穂先搬送タイン３９Ｒ、左上部穂先搬送タイン３９Ｌ、中央上部穂先搬送タイン３９Ｃである。以下、各搬送手段を順に説明する。
右穂先搬送タイン３７Ｒは、右株元合流搬送チェン３３Ｒによって、株元部を挟持搬送している右側２条分の刈取穀稈Ｒの穂先部を、係止搬送する搬送手段である。
左穂先搬送タイン３７Ｌは、左株元合流搬送チェン３３Ｌによって、株元部を挟持搬送している左側２条分の刈取穀稈Ｌの穂先部を、係止搬送する搬送手段である。
中央穂先搬送タイン３７Ｃは、中央株元合流搬送チェン３３Ｃによって、株元部を挟持搬送している中央２条分の刈取穀稈Ｃの穂先部を、係止搬送する搬送手段である。
後穂先搬送タイン３８は、株元搬送チェン３４、補助株元搬送チェン３５・３６によって、株元部を挟持搬送している６条分の刈取穀稈Ｌ・Ｒ・Ｃの穂先部を、係止搬送する搬送手段である。
右上部穂先搬送タイン３９Ｒは、右側２つの引起ケース２９の間から導入される引起後の右側２条分の穀稈Ｒの穂先部を、右穂先搬送タイン３７Ｒの搬送始端部のさらに上方で、右穂先搬送タイン３７Ｒの反対側で係止搬送する搬送手段である。
左上部穂先搬送タイン３９Ｌは、左側２つの引起ケース２９の間から導入される引起後の左側２条分の穀稈Ｌの穂先を、左穂先搬送タイン３７Ｌの搬送始端部のさらに上方で、左穂先搬送タイン３７Ｌの反対側で係止搬送する搬送手段である。
中央上部穂先搬送タイン３９Ｃは、中央２つの引起ケース２９の間から導入される引起後の中央２条分の穀稈Ｃの穂先を、中央穂先部搬送タイン３７Ｃの搬送始端部のさらに上方で、中央穂先搬送タイン３７Ｃの反対側で係止搬送する搬送手段である。
【００１７】
スターホイル３０Ｌ・３０Ｒ・３０Ｃ及び掻込ベルト３１Ｌ・３１Ｒ・３１Ｃによる掻込構成について説明する。
図５にも示すように、左右及び中央の各組の左右のスターホイル３０Ｌ・３０Ｒ・３０Ｃは、それぞれ平行な二軸である左右の回転軸４０ａ・４０ｂの下端に一体に取付け、同じ組の左右のスターホイル３０Ｌ・３０Ｒ・３０Ｃ同士を噛合回転させるものである。
また、左右及び中央の各組の左右の掻込ベルト３１Ｌ・３１Ｒ・３１Ｃは、搬送終端部を左右の回転軸４０ａ・４０ｂの上端に一体に取付ける大径プーリ４１に巻回支持させると共に、搬送始端部を大径プーリ４１の前方に軸支する小径プーリ４２に巻回支持させている。
そして、同じ組の左右の掻込ベルト３１Ｌ・３１Ｒ・３１Ｃを、前方に向けて大きく開くハの字形に張設させ、左右の回転軸４０ａ・４０ｂのうち一方の回転軸４０ａ又は４０ｂに動力を伝達して駆動回転させている。これにより、その回転軸４０ａ又は４０ｂに取付けたスターホイル３０Ｌ・３０Ｒ・３０Ｃ、及び掻込ベルト３１Ｌ・３１Ｒ・３１Ｃを、駆動回転する。
加えて、他方の回転軸４０ａ又は４０ｂに取付けたスターホイル３０Ｌ，３０Ｒ，３０Ｃ及び掻込ベルト３１Ｌ・３１Ｒ・３１Ｃを従動回転する。また、同じ組の左側のスターホイル３０Ｌ・３０Ｒ・３０Ｃ及び掻込ベルト３１Ｌ・３１Ｒ・３１Ｃと、右側のスターホイル３０Ｌ・３０Ｒ・３０Ｃ及び掻込ベルト３１Ｌ・３１Ｒ・３１Ｃとを、逆方向に回転させる。
以上のようにして、スターホイル３０Ｌ・３０Ｒ・３０Ｃ及び掻込ベルト３１Ｌ・３１Ｒ・３１Ｃにより、穀稈Ｌ・Ｒ・Ｃの掻込みを行うように構成している。
【００１８】
左右及び中央のスターホイル３０Ｌ・３０Ｒ・３０Ｃ及び掻込ベルト３１Ｌ・３１Ｒ・３１Ｃと、左右及び中央の株元合流搬送チェン３３Ｌ・３３Ｒ・３３Ｃとの、連動構成について説明する。
左右一対で一組の右スターホイル３０Ｒ及び右掻込ベルト３１Ｒのうち、右側のスターホイル３０Ｒ及び右掻込ベルト３１Ｒを取付ける右の回転軸４０ｂの中間部に、右株元合流搬送チェン３３Ｒの搬送始端部を巻回支持する従動スプロケット４３Ｒを係合軸支している。
左右一対で一組の右スターホイル３０Ｒ及び右掻込ベルト３１Ｒのうち、右側のスターホイル３０Ｒ及び掻込ベルト３１Ｒの間から、縦伝動ケース２１と横伝動ケース２２との接続部の略上方位置まで、右株元合流搬送チェン３３Ｒを張設している。
左右一対で一組の左スターホイル３０Ｌ及び左掻込ベルト３１Ｌのうち、左側のスターホイル３０Ｌ及び左掻込ベルト３１Ｌを取付ける左の回転軸４０ａの中間部に、左株元合流搬送チェン３３Ｌの搬送始端部を巻回支持する従動スプロケット４３Ｌを係合軸支している。
左右一対で一組の左スターホイル３０Ｌ及び左掻込ベルト３１Ｌのうち、左側のスターホイル３０Ｌ及び掻込ベルト３１Ｌの間から、縦伝動ケース２１と横伝動ケース２２との接続部の略上方位置の左株元合流搬送チェン３３Ｌの搬送終端部の直前まで、左株元合流搬送チェン３３Ｌを張設している。
左右一対で一組の中央スターホイル３０Ｃ及び中央掻込ベルト３１Ｃのうち、左側のスターホイル３０Ｃ及び左掻込ベルト３１Ｃを取付ける左の回転軸４０ａの中間部に、中央株元合流搬送チェン３３Ｃの搬送始端部を巻回支持する従動スプロケット４３Ｃを係合軸支している。
左右一対で一組の中央スターホイル３０Ｃ及び中央掻込ベルト３１Ｃのうち、左側のスターホイル３０Ｃ及び掻込ベルト３１Ｃの間から、縦伝動ケース２１と横伝動ケース２２との接続部の略上方位置で、右株元合流搬送チェン３３Ｒの左側２条分の刈取穀稈Ｌの株元部との合流部の手前の左株元合流搬送チェン３３Ｌの搬送終端部の直前まで、中央株元合流搬送チェン３３Ｃを張設している。
そして以上構成により、左右及び中央の株元合流搬送チェン３３Ｌ・３３Ｒ・３３Ｃの回転によって、左右及び中央のスターホイル３０Ｌ・３０Ｒ・３０Ｃ及び掻込ベルト３１Ｌ・３１Ｒ・３１Ｃを回転させるように構成している。
【００１９】
また、左右のスターホイル３０Ｌ・３０Ｒ及び掻込ベルト３１Ｌ・３１Ｒに対し、中央のスターホイル３０Ｃ及び掻込ベルト３１Ｃを、一段高い位置に位置ずれさせて支持している。そして、左右のスターホイル３０Ｌ・３０Ｒ及び掻込ベルト３１Ｌ・３１Ｒと、中央のスターホイル３０Ｃ及び掻込ベルト３１Ｃとの、干渉を防止するように構成している。
【００２０】
前処理機構（引起タイン２８）の駆動構成について説明する。
図６にも示すように、刈取入力軸１９にベベルギアを介して上端を連動連結させる縦伝動軸４４を、縦伝動ケース２１に内挿している。また、縦伝動軸４４の下端に、ベベルギアを介して中間部を連動連結させる横伝動軸４５を、横伝動ケース２２に内挿している。
これら縦伝動軸４４及び横伝動軸４５から、刈取部７の各構成要素のうち駆動するものの動力を取出すものである。まず、横伝動ケース２２の左側端部から、引起縦伝動ケース４６を、側面視で引起ケース２９の上方位置に向けて前傾姿勢で立上げている。また、引起縦伝動ケース４６の上端部から右方向に水平に、引起横伝動ケース４７を延設し、引起横伝動ケース４７から下方向に各引起ケース２９ごとの引起駆動ケース４８を延設している。
各引起駆動ケース４８の下部は、各引起駆動ケース４８の上部背面側に臨ませ、各引起駆動ケース４８の下端部から各引起ケース２９の内側上部に、引起タイン駆動軸４９を突出させている。その突出端部には、引起タイン２８を等間隔に取付けるタインチェンの上部を巻回支持させる引起タイン駆動スプロケット５０を設けている。
また、引起縦伝動軸５１と、引起横伝動軸５２と、引起駆動軸５３とで、横伝動軸４５から各引起ケース２９の引起タイン駆動スプロケット５０に動力を伝達するように構成している。
ここで、引起縦伝動軸５１は、引起縦伝動ケース４６に内挿させて、下端を横伝動軸４５の左端にベベルギアを介して連動連結させるものである。また、引起横伝動軸５２は、引起横伝動ケース４７に内挿させて、左端を引起縦伝動軸５１の上端にベベルギアを介して連動連結させるものである。また、引起駆動軸５３は各引起駆動ケース４８に内挿させて、上端を引起横伝動軸５２に、それぞれベベルギアを介して連動連結させると共に、下部を引起タイン駆動軸４９に、ベベルギアを介して連動連結させるものである。
また、引起縦伝動ケース４６の上部に、引起変速機構５４を内装する引起変速ケース５５を介在させ、引起縦伝動軸５１の途中に引起変速機構５４を組込んでいる。そして、各引起ケース２９の引起タイン２８の駆動速度を高速・中速・低速に変速するように構成している。
【００２１】
刈取機構の駆動構成について説明する。
刈刃３２は、可動刃を刈幅の中央部で二つに分割し、左右の可動刃３２を相反する方向に往復運動させ、振動を相殺するようにしたものである。
刈刃３２の動力の取出は、以下のように構成している。まず、横伝動軸４５の左端部より少し内側から、ベベルギヤを介して左側の刈刃駆動軸であるクランク軸５６ａを上向きに立上げている。また、横伝動軸４５の右端部より、ベベルギヤを介して、右側の刈刃駆動軸であるクランク軸５６ｂを上向きに立上げている。さらに、左右のクランク軸５６ａ・５６ｂを、横伝動ケース２２から上方に突出させ、横伝動軸４５から左右の可動刃３２の動力を取出すように構成している。
【００２２】
穀稈搬送機構を構成する各搬送チェン及び各搬送タインのうち、補助株元搬送チェン３５・３６及び後穂先搬送タイン３８の駆動機構について説明する。
補助株元搬送チェン３５・３６及び後穂先搬送タイン３８は、動力を縦伝動軸４４の上部から取出すものであり、以下のように構成している。
縦伝動ケース２１の上部から左向きに後搬送駆動ケース５７を延設し、後搬送駆動ケース５７には後搬送駆動軸５８を内挿させて、右端を縦伝動軸４４の上部にベベルギアを介して連動連結させている。
後搬送駆動軸５８の左端は、駆動スプロケット軸６１の下端にベベルギアを介して連動連結させるものとしている。駆動スプロケット軸６１には後穂先搬送タイン駆動スプロケット６０と、一方の補助搬送チェン３６の駆動スプロケット５９と、を設けている。該後穂先搬送タイン駆動スプロケット６０は、後穂先搬送タイン３８を等間隔に取付けるタインチェンの搬送終端部を、巻回支持させるものである。
そして、縦伝動軸４４の上部から、一方の補助搬送チェン３６の駆動スプロケット５９と、後穂先搬送タイン駆動スプロケット６０とに、動力を伝達するように構成している。
加えて、一方の補助搬送チェン３６の従動スプロケット軸６２上に、他方の補助搬送チェン３５の駆動スプロケット６３を設け、この駆動スプロケット６３に動力を伝達するように構成している。
【００２３】
株元搬送チェン３４及び右株元搬送チェン３３Ｒ及び右穂先搬送タイン３７Ｒの駆動機構について説明する。
これらの動力は、縦伝動軸４４の中間部から取出すものであり、以下のように構成している。
縦伝動ケース２１の中間部から右株元搬送チェン３３Ｒの回動平面に対して直角に、右搬送駆動ケース６４を立上げると共に、右搬送駆動ケース６４の下部から左斜上方に向けて、縦搬送駆動ケース６５を延設している。
右搬送駆動ケース６４には、右搬送駆動軸６７を内挿させて、下端を縦伝動軸４４の中間部にベベルギアを介して連動連結させている。縦搬送駆動ケース６５には、縦搬送伝動軸６８を内挿させて、下端を右搬送駆動軸６７の下部にベベルギアを介して連動連結させている。
右搬送駆動軸６７上には、右株元搬送チェン駆動スプロケット６９と、右穂先搬送タイン駆動スプロケット７０とを、設けている。右株元搬送チェン駆動スプロケット６９は、右株元搬送チェン３３Ｒの搬送終端部を巻回支持させるものである。右穂先搬送タイン駆動スプロケット７０は、右穂先搬送タイン３７Ｒを等間隔に取付けるタインチェンの搬送終端部を、巻回支持させるものである。
また、縦搬送駆動軸７１の下端は、ベベルギアを介して、縦搬送伝動軸６８に連動連結している。縦搬送駆動軸７１上に、株元搬送チェン３４の搬送始端部を巻回支持する株元搬送チェン駆動スプロケット７２を、設けている。
そして以上構成により、縦伝動軸４４の中間部から、右株元搬送チェン駆動スプロケット６９と、右穂先搬送タイン駆動スプロケット７０と、株元搬送チェン駆動スプロケット７２とに、動力を伝達するように構成している。
【００２４】
左株元搬送チェン３３Ｌ及び左穂先搬送タイン３７Ｌの駆動構成について説明する。
これらの動力は、横伝動軸４５の左端部から引起縦伝動軸５１を経て取出すものであり、以下のように構成している。
引起縦伝動ケース４６の中間部から右方向に、かつ左株元搬送チェン３３Ｌの回動平面と平行に左搬送駆動ケース７３を延設している。左搬送駆動ケース７３には左搬送駆動軸７４を内挿させて、左端を引起縦伝動軸５１の中間部にベベルギアを介して連動連結させている。
また、左搬送駆動軸７４の右端には、駆動スプロケット軸７７の中間部がベベルギアを介して連動連結されている。駆動スプロケット軸７７には、左株元搬送チェン駆動スプロケット７５と、左穂先搬送タイン駆動スプロケット７６とが設けられている。左株元搬送チェン駆動スプロケット７５は、左株元搬送チェン３３Ｌの非搬送側中間部を巻回支持させるものである。左穂先搬送タイン駆動スプロケット７６は、左穂先搬送タイン３７Ｌを等間隔に取付けるタインチェンの非搬送側中間部を巻回支持させるものである。
そして、駆動スプロケット軸７７の中間部に、左搬送駆動軸７４の右端をベベルギアを介して連動連結させ、横伝動軸４５の左端部から、左株元搬送チェン駆動スプロケット７５と左穂先搬送タイン駆動スプロケット７６とに、動力を伝達するように構成している。
【００２５】
次に、中央株元搬送チェン３３Ｃ及び中央穂先搬送タイン３７Ｃの駆動構成について説明する。
これらの動力は、横伝動軸４５の中間部から取出すものである。該中間部は、詳しくは、横伝動ケース２２と縦伝動ケース２１との接続部の直ぐ左側である。具体的には、以下のように構成している。
横伝動ケース２２の中間部から、中央株元搬送チェン３３Ｃの回動平面に対して直角に、中央搬送駆動ケース８０が立ち上げられている。該中央搬送駆動ケース８０は、一方の（左側の）中央スターホイル３０Ｃの後側近傍位置（直後）に位置している。該一方の中央スターホイル３０Ｃは、従動スプロケット４３Ｃと同軸４０ａ上に設けられるものであり、中央株元搬送チェン３３Ｃの搬送始端部を巻回支持するものである。
中央搬送駆動ケース８０には前部中央搬送駆動軸８２を内挿させて、下端を横伝動軸４５の中間部に、ベベルギア８２ａ・４５ａを介して連動連結させている。ベベルギア８２ａは前部中央搬送駆動軸８２に設けるものであり、ベベルギア４５ａは横伝動軸４５上に設けるものである。
また、前部中央搬送駆動軸８２の軸上には、中途部に中央株元搬送チェン駆動スプロケット７８が設けられると共に、上端に中央穂先搬送タイン駆動スプロケット７９が設けられている。中央株元搬送チェン駆動スプロケット７８は、中央株元搬送チェン３３Ｃを巻回支持させるものである。中央穂先搬送タイン駆動スプロケット７９は、中央穂先搬送タイン３７Ｃを等間隔に取付けるタインチェンを巻回支持させるものである。
そして、横伝動軸４５の中間部から、中央株元搬送チェン駆動スプロケット７８と中央穂先搬送タイン駆動スプロケット７９とに、動力を伝達するように構成している。
【００２６】
中央株元搬送チェン３３Ｃは、前述のように、一組の中央スターホイル３０Ｃ及び中央掻込ベルト３１Ｃによって掻込まれた、中央２条分の刈取穀稈Ｃの株元部を、左右の株元合流搬送チェン３３Ｌ・３３Ｒの間に位置して右斜後上方に挟持搬送し、右株元合流搬送チェン３３Ｒの左側２条分の刈取穀稈Ｌの株元部との合流部の手前に、合流させるものである。一組の中央スターホイル３０Ｃ及び中央掻込ベルト３１Ｃは、一組の右スターホイル３０Ｒ及び右掻込ベルト３１Ｒと一組の左スターホイル３０Ｌ及び左掻込ベルト３１Ｌとの間に配設される。
そして、右株元合流搬送チェン３３Ｒによって挟持搬送される右側２条分の刈取穀稈Ｒの株元部と、中央株元合流搬送チェン３３Ｃによって挟持搬送される中央２条分の刈取穀稈Ｃの株元部との、合流部Ｘ１においては、次のようにして穀稈を合流させるようにしている。右株元合流搬送チェン３３Ｒによって挟持搬送される右側２条分の刈取穀稈Ｒの株元部に対し、中央株元搬送チェン３３Ｃによって挟持搬送される中央２条分の刈取穀稈Ｃの株元部を、中央株元搬送チェン３３Ｃの搬送終端部から合流させるようにする。
【００２７】
上記から明らかなように、本実施の形態のコンバインには、左右及び中央の刈取穀稈Ｌ・Ｒ・Ｃ株元部のそれぞれを挟持搬送して合流させる左右及び中央の株元合流搬送チェン３３Ｌ・３３Ｒ・３３Ｃを設けている。
また、該コンバインには、前記左右及び中央の株元合流搬送チェン３３Ｌ・３３Ｒ・３３Ｃの搬送始端部に、左右及び中央の刈取穀稈Ｌ・Ｒ・Ｃ株元部を掻込む左右及び中央の掻込輪３０Ｌ・３０Ｒ・３０Ｃを設けている。
そして、以上構成のコンバインにおいて、横伝動ケース２２と縦伝動ケース２１との接続部の直ぐ左側で、ベベルギヤ８２ａ・４５ａを介して、横伝動軸４５より前部中央搬送駆動軸８２を立設させている。そして、横伝動軸４５の動力により直接、中央の株元合流搬送チェン３３Ｃの搬送終端部を巻回支持する中央株元搬送チェン駆動スプロケット７８を、駆動する構成としている。
【００２８】
このため、中央株元搬送チェン３３Ｃへの駆動伝達に際して、横伝動軸４５を収納する横伝動ケース２２より駆動伝達の下流側に、チェーン等を内装する駆動伝達ケースを設けないので、中央株元搬送チェン３３Ｃの下方に、株元搬送のスペースを広く確保することができる。したがって、搬送途中の刈取穀稈Ｒ・Ｃ・Ｌ株元部の引掛りや、藁草・泥土などの堆積を防止することができ、穀稈の中下部搬送における詰まり防止が実現されるものとなっている。
【００２９】
穀稈株元搬送の下部搬送における駆動伝達の相互関係について説明する。
上記のように、右株元搬送チェン３３Ｒ及び右穂先搬送タイン３７Ｒと、左元搬送チェン３３Ｌ及び左穂先搬送タイン３７Ｌと、中央株元搬送チェン３３及び中央穂先搬送タイン３７Ｃとには、それぞれ動力が伝達されて、独立駆動されるものとなっている。
そして、穀稈株元搬送の下部搬送が、左右および中央のそれぞれで、独立駆動されるものとなっている。
【００３０】
このため、左右及び中央のそれぞれで、下部搬送の搬送手段を独立した入力で駆動できるため、各下部搬送の負荷分担が均一化され、強度バランス上有利な構成となっている。
【００３１】
また、穀稈株元搬送の下部搬送の独立駆動に対応して、穀稈株元搬送の中部搬送も独立駆動されるものとなっている。
中部搬送を構成する左右及び中央の搬送手段は、右スターホイル３０Ｒ及び右掻込ベルト３１Ｒと、左スターホイル３０Ｌ及び左掻込ベルト３１Ｌと、中央スターホイル３０Ｃ及び中央掻込ベルト３１Ｃとである。そして、これらの左右及び中央の下部搬送が、独立駆動されるものとなっている。
このため、各スターホイル３０Ｌ・３０Ｒ・３０Ｃに過大負荷が発生することによる、各スターホイル３０Ｌ・３０Ｒ・３０Ｃの破損などのトラブルが防止されるものとなっている。つまり、左右及び中央のスターホイル３０Ｌ・３０Ｒ・３０Ｃを相互に噛合わせ、スターホイル連装による中央スターホイル３０Ｃ及び中央掻込ベルト３１Ｃ及び中央株元搬送チェン３３Ｃ及び中央穂先搬送タイン３７Ｃの駆動構造省略化による弊害が除かれている。
【００３２】
右株元合流搬送チェン３３Ｒと左株元合流搬送チェン３３Ｌとの合流部Ｘ２について説明する。
図９、図１０に示すように、左株元搬送チェン３３Ｌは、前述のように、一組の左スターホイル３０Ｌ及び左掻込ベルト３１Ｌによって掻込まれた左側２条分の刈取穀稈Ｌの株元部を、右斜後上方に挟持搬送して、右株元合流搬送チェン３３Ｒの搬送終端部に合流させるものである。
また、右株元合流搬送チェン３３Ｒは、右側２条分の刈取穀稈Ｒ及び、中央２条分の刈取穀稈Ｃの株元部の合計４条分の刈取穀稈Ｒ・Ｃの株元部を、挟持搬送するものである。
そして、右株元合流搬送チェン３３Ｒと左株元合流搬送チェン３３Ｌとの合流部Ｘ２では、右株元合流搬送チェン３３Ｒの搬送する刈取穀稈Ｒ・Ｃの株元部と、左株元合流搬送チェン３３Ｌの搬送する刈取穀稈Ｌの株元部とが、合流するものとなっている。合流は、右株元合流搬送チェン３３Ｒおよび左株元合流搬送チェン３３Ｌそれぞれの搬送終端部において、行われる。
【００３３】
刈取部７の詰まり解除装置１００について説明する。
刈取部７には、図９、図１０に示すように、前記合流部Ｘ２における穀稈の詰まりを解除するための手段として、詰まり解除装置１００が設けられている。
詰まり解除装置１００は、回転体（スプロケット８７および回転輪８８）の移動自在機構１０１を備えると共に、該移動自在機構１０１に連結して回転体を移動させるリンク機構１０２を備え、該リンク機構１０２には回転体の位置を固定する固定手段１０３を備えるものとなっている。
ここで、前記回転体は、左株元搬送チェン３３Ｌの搬送終端部を巻回支持するものであり、スプロケット８７および回転輪８８からなっている。以下、詰まり解除装置１００に備える各機構および手段を順に説明する。
【００３４】
回転体（スプロケット８７および回転輪８８）の移動自在機構１０１について説明する。
図９、図１０に示すように、左株元搬送チェン３３Ｌの搬送終端部を巻回支持する回転体であるスプロケット８７および回転輪８８は、ブラケット８９Ｕ・８９Ｄに回転自在に支持されている。ブラケット８９Ｕ・８９Ｄは、回転体の上下に位置すると共に、相互は連結固定されている。
また、ブラケット８９Ｕ・８９Ｄにはスライド軸９１が固設され、該スライド軸９１は、刈取部７のメインフレームの一部を構成する搬送フレーム９０に、摺動自在に設けられている。この摺動自在方向は、左株元搬送チェン３３Ｌの搬送終端部と対向する前記右株元搬送チェン３３Ｒに対して、遠近方向となっている。
そして、以上構成の移動自在機構１０１により、回転体であるスプロケット８７および回転輪８８が、他方の株元合流搬送チェンに対する遠近方向で移動自在となっている。
【００３５】
移動自在機構１０１は、より詳しくは次のように構成されている。
搬送フレーム９０は、この一端から中実の丸棒材からなるスライド軸９１を挿入する断面円形のパイプ材からなっており、搬送フレーム９０の一端側にスライド軸９１を前記遠近方向に移動自在に支持するものとなっている。
また、搬送フレーム９０の端部から、スライド軸９１の軸長より若干短い寸法内側に入った内面には、スライド軸９１の挿入端部を当接させてスライド軸９１の挿入量を規制する内向きの段差９２を形成している。そして、スライド軸９１の移動範囲を、規制するものとしている。
このように搬送フレーム９０とスライド軸９１はシリンダとピストンロッドと同様の関係を有し、搬送フレーム９０がシリンダに、スライド軸９１がピストンロッドに相当する。そして、搬送フレーム９０にスライド軸９１を最も挿入したときでも、搬送フレーム９０の一端から突出するスライド軸９１の一端に前記ブラケット８９Ｕを固着し、スプロケット８７および回転輪８８を、前記遠近方向で移動自在に搬送フレーム９０に取付けている。
【００３６】
リンク機構１０２について説明する。
図９、図１０に示すように、リンク機構１０２は、前記移動自在機構１０１に連結して、スプロケット８７および回転輪８８を移動させる機構であり、第一リンク１０４および第二リンク１０５を備えるものとなっている。
移動自在機構１０１に備えるブラケット８９Ｕには、リンク受けブラケット１１５が固設されており、該リンク受けブラケット１１５には、第一リンク１０４の一端部が、連結支軸１０６を介して回動自在に設けられている。リンク受けブラケット１１５は、断面視Ｕ字状に折曲させた板状部材である。
また、同じく移動自在機構１０１に備える搬送フレーム９０には、リンク受けブラケット１１６が固設されており、該リンク受けブラケット１１６には、第二リンク１０５の一端部が、連結支軸１０７を介して回動自在に設けられている。リンク受けブラケット１１６は、断面視Ｕ字状に折曲させた板状部材である。
加えて、第一リンク１０４と第二リンク１０５の他端部同士も、回動支軸１０８を介して回動自在に設けられている。
そして、以上構成により、回転体（スプロケット８７および回転輪８８）を、搬送フレーム９０に対して前記遠近方向で移動させるリンク機構１０２が、構成されるものとなっている。
図１１に示すように、このリンク機構１０２において、回動支軸１０８を、連結支軸１０６・１０７を結ぶ直線から離間するように側方へ移動させると、連結支軸１０６・１０７間の距離が短縮される。つまり、回転体を支持するブラケット８９Ｕ・８９Ｄが搬送フレーム９０側へと移動する。このとき、合流部Ｘ２の間隔が広げられる。
また、回動支軸１０８を、連結支軸１０６・１０７を結ぶ直線上に向けて接近させると、連結支軸１０６・１０７間の距離が拡大される。つまり、回転体を支持するブラケット８９Ｕ・８９Ｄが、右株元合流搬送チェン３３Ｒ側へと移動する。このとき、合流部Ｘ２の間隔が狭められる。
【００３７】
リンク機構１０２には、該リンク機構１０２の傾倒範囲を規制する傾倒規制手段１０９が設けられている。
図９、図１０に示すように、以上構成のリンク機構１０２は、連結支軸１０６・１０７を結ぶ直線に対する左右両側方に、傾倒可能となっている。ここで、該直線の左右一側には、搬送フレーム９０およびスライド軸９１が位置しており、これら移動自在機構１０１の構成部材の位置する側に、リンク機構１０２が傾倒することは望ましくない。
そこで、リンク機構１０２の移動自在機構１０１側への移動を規制する手段として、傾倒規制手段１０９が設けられている。
傾倒規制手段１０９は、第一リンク１０４に螺合させるボルト１１０と、第一リンク１０４に形成するボルト１１０螺合用の螺子孔１０４ａと、により構成される。該ボルト１１０の螺子側先端部１１０ａは、搬送フレーム９０側へ突出するように設けられている。
そして、該先端部１１０ａが搬送フレーム９０の外面に当接すると、リンク機構１０２の搬送フレーム９０側への傾倒が、制止されるものとなっている。なお、ボルト１１０の第一リンク１０４への固定は、ボルト１１０の同軸上に配置した制止ナット１１１を、第一リンク１０４側へ締結することで行っている。
【００３８】
ここで、リンク機構１０２を最大限搬送フレーム９０側に傾倒させた状態（図９、図１０に図示される状態）では、連結支軸１０６・１０７を結ぶ直線上に、回動支軸１８が位置するものとしている。
このとき、前記回転体を支持するブラケット８９Ｕ・８９Ｄが、最大限、右株元合流搬送チェン３３Ｒ側へ移動した状態となっており、合流部Ｘ２の間隔が最も狭められた状態である。
図９、図１０に示すリンク機構１０２の傾倒位置、つまり、回転体およびブラケット８９Ｕ・８９Ｄが最大限、右株元合流搬送チェン３３Ｒ側へ移動した際の傾倒位置を、以下では「接近位置」と称する。
【００３９】
回転体（スプロケット８７および回転輪８８）の位置を固定する固定手段１０３について説明する。
図９、図１０に示すように、固定手段１０３は、本実施の形態では、前記「接近位置」におけるリンク機構１０２を固定して傾倒不能とし、回転体（スプロケット８７および回転輪８８）の位置を固定するものとしている。
固定手段１０３は、ボルト１１２の締結および解除により、リンク機構１０２の固定を行うものである。第二リンク１０５にはボルト１１２の挿通孔１０５ａが形成され、リンク受けブラケット１１６の上下にも挿通孔１１６ａ・１１６ａが形成され、該挿通孔１１６ａと同軸上でリンク受けブラケット１１６の下面には、螺子孔１１７ａを形成した螺子受け１１７が固設されている。
ここで、リンク機構１０２が「接近位置」にあるときには、挿通孔１０５ａ・１１６ａ・１１６ａと、螺子孔１１７ａが同軸上に位置するものとなっている。そして、ボルト１１２を、第二リンク１０５およびリンク受けブラケット１１６を介して、螺子受け１１７に締結することで、「接近位置」のリンク機構１０２が固定されるものである。
つまり、固定手段１０３は、ボルト１１２と、第二リンク１０５に形成したボルト１１２の挿通孔１０５ａと、リンク受けブラケット１１６に形成したボルト１１２の挿通孔１１６ａ・１１６ａと、螺子受け１１７に形成した螺子孔１１７ａとにより、構成されるものである。
そして、第二リンク１０５およびリンク受けブラケット１１６を、ボルト１１２により締結固定することにより、リンク機構１０２を固定して傾倒不能とし、回転体（スプロケット８７および回転輪８８）の位置が固定されるものとなっている。固定手段１０３による回転体の位置固定を解除する場合は、ボルト１１２の締結を緩めて第二リンク１０５より取り出すことで、行うものとしている。
【００４０】
また、リンク機構１０２には、該リンク機構１０２を作業者が操作するための手段として、操作レバー１１３が設けられている。
図９、図１０に示すように、操作レバー１１３は、第二リンク１０５に固設されるものとなっている。また、操作レバー１１３は、第二リンク１０５に対して、平面視、略直角となる角度をなすように取り付けられている。
このため、図１１に示すように、前記固定手段１０３を解除した状態において、作業者が操作レバー１１３を掴んで、反搬送フレーム９０側へ引っ張ることで、リンク機構１０２が反搬送フレーム９０側へ傾倒する。そして、回転体を支持するブラケット８９Ｕ・８９Ｄが搬送フレーム９０側へ移動し、合流部Ｘ２の間隔が広げられるものとなる。
逆に、固定手段１０３を解除した状態において、作業者が操作レバー１１３を掴んで、搬送フレーム９０側へ押し込むことで、リンク機構１０２が搬送フレーム９０側へ傾倒する。リンク機構１０２の搬送フレーム９０側への傾倒は、前記傾倒規制手段１０９により制限されており、リンク機構１０２は「接近位置」に到達した時点で制止される。リンク機構１０２は「接近位置」に到達すると、合流部Ｘ２の間隔が最大限狭められた状態となり、この状態で固定手段１０３によりリンク機構１０２の固定を行うことで、左株元合流搬送チェン３３Ｌが搬送駆動可能な状態に復帰する。
【００４１】
ここで、リンク機構１０２を作動させる操作レバー１１３に荷重が掛かるのは、リンク機構１０２を「接近位置」に傾倒させる際であるが、この操作は操作レバー１１３を、搬送フレーム９０側に押し込むことで行うものである。
より詳しくは、作業者が操作レバー１１３を、連結支点１０７を中心に、（本実施の形態の構成では）反時計回りに押圧することで、リンク機構１０２の操作を行うものである。
このため、リンク機構１０２および操作レバー１１３が、挺子として作用するものとなっており、作業者による操作力の軽減に繋がっており、操作が容易となると共に作業性が向上している。
【００４２】
以上のように、コンバインの刈取部７に、左側の刈取穀稈Ｌの株元部および右側の刈取穀稈Ｒ・Ｃの株元部のそれぞれを、挟持搬送して合流させる左右一対の株元搬送手段を備え、該一対の株元搬送手段の少なくとも一方を搬送チェンとした構成において、この合流部Ｘ２における詰まり解除装置１００が設けられている。ここで、本実施の形態では、左右一対の株元搬送手段は、株元合流搬送チェン３３Ｒ・３３Ｌで構成している。
詰まり解除装置１０１には、移動自在機構１０１と、リンク機構１０２と、固定手段１０３とが備えられる。
ここで移動自在機構１０１は、一方の株元合流搬送チェン３３Ｌの搬送終端部を巻回支持する回転体（スプロケット８７および回転輪８８）を、他方の株元搬送手段（合流搬送チェン３３Ｒ）に対する遠近方向で移動自在とする機構である。
なお、他方の株元搬送手段としては、本実施形態の合流搬送チェン３３Ｒに限定されるものではなく、タイン付ベルト装置や、搬送ガイドなどの非駆動装置であってもよい。
また、リンク機構１０２は、該移動自在機構１０１に連結して前記回転体を移動させる機構である。また、固定手段１０３は、前記回転体の位置を固定する手段であって、リンク機構１０２に設けられるものである。
【００４３】
このため、左右一対の株元搬送手段（株元合流搬送チェン３３Ｒ・３３Ｌ）の合流部Ｘ２の間隔が、広狭自在となっており、刈取部７で刈取った全穀稈Ｌ・Ｒ・Ｃが集中する合流部Ｘ２での穀稈の詰まり解除が可能となっている。特に、リンク機構を用いて、合流部Ｘ２の間隔を広狭自在としているので、簡単な構造であり、コスト的に有利である。
【００４４】
また、詰まり解除機構１００には、リンク機構１０２を可倒自在に操作する操作レバー１１３を設けている。
ここで、移動自在機構１０１には、前記回転体（スプロケット８７および回転輪８８）を回動自在に支持するブラケット８９Ｕ・８９Ｄと、該ブラケット８９Ｕ・８９Ｄを前記遠近方向で移動自在に支持する搬送フレーム９０（刈取部７のメインフレームの一部）とを備えている。また、前記リンク機構１０２は、ブラケット８９Ｕ・８９Ｄと搬送フレーム９０とを連結する構成である。
【００４５】
このため、リンク機構１０２および操作レバー１１３が、挺子として作用するものとなっており、作業者による操作力の軽減に繋がっており、操作が容易となると共に作業性が向上している。
【００４６】
次に、合流部Ｘ２で穀稈の搬送をガイドする搬送ガイド１１４について説明する。
図９、図１０に示すように、回転体（スプロケット８７および回転輪８８）を回動自在に支持するブラケット８９Ｄには、弓形の搬送ガイド１１４が固設されている。搬送ガイド１１４は、合流部Ｘ２において、穀稈の搬送をガイドする手段である。
なお、搬送ガイド１１４が設けられる左株元合流搬送チェン３３Ｌをはじめ、その他の搬送手段には、適宜位置に穀稈の搬送をガイドするガイド手段が設けられるものとなっている。
ここで、ブラケット８９Ｕ・８９Ｄは、前記回転体と一体で、前記遠近方向に移動自在とされている。具体的には、前述したように、ブラケット８９Ｕ・８９Ｄにはスライド軸９１が固設され、該スライド軸９１が搬送フレーム９０に摺動自在に設けられることで、ブラケット８９Ｕ・８９Ｄが前記遠近方向に移動自在となっている。
【００４７】
このため、合流部Ｘ２における詰まり解除時に、穀稈の搬送をガイドする搬送ガイド１１４を、前記回転体と共に、合流部Ｘ２の間隔を広げる方向に退かせることができる。したがって、合流部Ｘ２での穀稈の詰まりを解除する際に、作業者の作業の邪魔になる部材が存在せず、解除作業が容易となる。
【００４８】
ここで、以上の作用・効果を奏するための特徴的な構成をまとめると、次のようなものになる。
コンバインの刈取部７に、左側の刈取穀稈Ｌの株元部および右側の刈取穀稈Ｒ・Ｃの株元部のそれぞれを、挟持搬送して合流させる左右一対の株元搬送手段を備え、該一対の株元搬送手段の少なくとも一方を搬送チェンとした構成において、この合流部Ｘ２における詰まり解除装置１００が設けられている。ここで、本実施の形態では、左右一対の株元搬送手段は、株元合流搬送チェン３３Ｒ・３３Ｌで構成している。
また、一方の株元合流搬送チェン３３Ｌの搬送終端部を巻回支持する回転体（スプロケット８７および回転輪８８）を、他方の株元搬送手段に対する遠近方向で移動自在とする移動自在機構１０１と、移動自在機構１０１の固定手段とを備えている。本実施の形態では、前記固定手段１０３により、移動自在機構１０１に連結するリンク機構１０２を固定することで、間接的に移動自在機構１０１の固定を行う構成である。
そして、以上の構成において、前記回転体と一体で前記遠近方向に移動自在とされるブラケット８９Ｕ・８９Ｄに、搬送される穀稈の搬送をガイドする搬送ガイド１１４を設けている。
【００４９】
つまり、搬送ガイド１１４に関わる前記の作用・効果が得られるためには、搬送ガイド１１４が移動自在機構１０１と共に移動自在となる構成であれば良い。したがって、移動自在機構１０１の移動手段は、前記リンク機構１０２に限定されるものではなく、移動自在機構１０１の固定手段もリンク機構１０２を介して固定する手段（前記固定手段１０３）に限定されるものではない。
例えば、移動自在機構に備えるスライド軸の外周上に溝（凹部）を設け、該溝と係合する突出部を設けたアームを移動させて、溝と突出部との係合により移動自在機構の固定・解除を可能とする構成であっても良い。
【００５０】
【発明の効果】
請求項１記載の如く、コンバインの刈取部に、左右の刈取穀稈株元部のそれぞれを挟持搬送して合流させる左右一対の株元搬送手段を備え、該一対の株元搬送手段の少なくとも一方を搬送チェンとした構成において、
一方の株元合流搬送チェンの搬送終端部を巻回支持する回転体を、他方の株元搬送手段に対する遠近方向で移動自在とする移動自在機構を備えると共に、該移動自在機構に連結して前記回転体を移動させるリンク機構を備え、該リンク機構には前記回転体の位置を固定する固定手段を備えたので、
左右一対の株元搬送手段の合流部の間隔が、広狭自在となっており、刈取部で刈取った全穀稈が集中する合流部での穀稈の詰まり解除が可能となっている。特に、リンク機構を用いて、合流部の間隔を広狭自在としているので、簡単な構造であり、コスト的に有利である。
【００５１】
請求項２記載の如く、前記移動自在機構に、前記回転体を回動自在に支持するブラケットと、該ブラケットを前記遠近方向で移動自在に支持する刈取部フレームとを備えると共に、
前記リンク機構はブラケットと刈取部フレームとを連結する構成とし、
該リンク機構を可倒自在に操作する操作レバーを設けたので、
リンク機構および操作レバーが、挺子として作用するものとなっており、作業者による操作力の軽減に繋がっており、操作が容易となると共に作業性が向上している。
【００５２】
請求項３記載の如く、コンバインの刈取部に、左右の刈取穀稈株元部のそれぞれを挟持搬送して合流させる左右一対の株元搬送手段を備え、該一対の株元搬送手段の少なくとも一方を搬送チェンとした構成において、
一方の株元合流搬送チェンの搬送終端部を巻回支持する回転体を、他方の株元搬送手段に対する遠近方向で移動自在とする移動自在機構と、移動自在機構の固定手段とを備えると共に、
前記回転体と一体で前記遠近方向に移動自在とされるブラケットに、搬送される穀稈の搬送をガイドする搬送ガイドを設けたので、
合流部における詰まり解除時に、穀稈の搬送をガイドする搬送ガイドを、前記回転体と共に、合流部の間隔を広げる方向に退かせることができる。したがって、合流部での穀稈の詰まりを解除する際に、作業者の作業の邪魔になる部材が存在せず、解除作業が容易となる。
【図面の簡単な説明】
【図１】コンバインの全体側面図。
【図２】コンバインの全体平面図。
【図３】刈取部７の側面図。
【図４】刈取部７の平面図。
【図５】株元合流搬送チェン３３Ｒ・３３Ｌの平面図。
【図６】刈取部７の駆動系統図。
【図７】中央搬送駆動部の側面図。
【図８】中央搬送駆動部の平面図。
【図９】詰まり解除装置１００の平面図。
【図１０】詰まり解除装置１００の側面図。
【図１１】解除時における詰まり解除装置１００の平面図である。
【符号の説明】
７  刈取部
３３Ｌ  左株元搬送チェン
３３Ｒ  右株元搬送チェン
８７  スプロケット
８８  回転輪
８９Ｕ・８９Ｄ  ブラケット
９０  搬送フレーム
１００  詰まり解除装置
１０１  移動自在機構
１０２  リンク機構
１０３  固定手段
１１３  操作レバー
１１４  搬送ガイド
【図１】
2004275014.tif 000003
【図２】
2004275014.tif 000004
【図３】
2004275014.tif 000005
【図４】
2004275014.tif 000006
【図５】
2004275014.tif 000007
【図６】
2004275014.tif 000008
【図７】
2004275014.tif 000009
【図８】
2004275014.tif 000010
【図９】
2004275014.tif 000011
【図１０】
2004275014.tif 000012
【図１１】
2004275014.tif 000013